(57)【特許請求の範囲】
【請求項１】
底部の内側に折り込まれたガゼットを当該底部に有する袋であって、その折り込まれたガゼットが拡がることで自立可能となる包装用袋において、
前記底部の下方端部が接着されて剛性を付与されていること、および、
前記底部の接着された下方端部には、前記ガゼットの拡がりを抑制するための上向き凸型のシール部が袋の表裏中央部に一箇ずつ設けられていること、および、
前記底部の左右両側にある下方端部と前記底部の中央にある下方端部との間には、上向きに欠除されて設けられた欠除部が介在していること、および、
前記底部における前記左右両側下方端部と前記中央下方端部との相対関係において、前記中央下方端部の幅方向の寸法が前記左右両側下方端部の各幅方向の寸法よりも大きいものであること、および、
袋の底部折り込み状態における前記左右両側下方端部と前記中央下方端部と前記欠除部との相対関係について、前記中央下方端部が上下方向の最も低い位置にあるとともに当該中央下方端部よりも上位の位置に前記左右両側下方端部があり、かつ、前記欠除部が前記左右両側下方端部よりも上位の位置まで欠除されていること、および、
袋の底部折り込み状態における前記左右両側下方端部と前記中央下方端部と前記欠除部との相対関係について、相対的に上位の前記左右両側下方端部と相対的に下位の前記中央下方端部とが段差を有し、かつ、前記欠除部が、この段差をともなった前記左右両側下方端部と前記中央下方端部とにわたるものであること、および、
前記底部内側に折り込まれた前記ガゼットを拡げるにしたがい、その底部にある前記左右両側下方端部と前記中央下方端部との段差が減少していくものであるとともに、前記ガゼットの拡がりが前記シール部により抑制されるまで前記底部が袋の厚み方向に膨らむものであること
を特徴とする自立安定性を高めた包装用袋。
【請求項２】
底部の内側に折り込まれたガゼットを当該底部に有する袋であって、その折り込まれたガゼットが拡がることで自立可能となる包装用袋において、
前記底部の下方端部が接着されて剛性を付与されていること、および、
前記底部の接着された下方端部には、前記ガゼットの拡がりを抑制するための上向き凸型のシール部が袋の表裏中央部寄りに複数箇ずつ設けられていること、および、
前記底部の左右両側にある下方端部と前記底部の中央にある下方端部との間には、上向きに欠除されて設けられた欠除部が介在していること、および、
前記底部における前記左右両側下方端部と前記中央下方端部との相対関係において、前記中央下方端部の幅方向の寸法が前記左右両側下方端部の各幅方向の寸法よりも大きいものであること、および、
袋の底部折り込み状態における前記左右両側下方端部と前記中央下方端部と前記欠除部との相対関係について、前記中央下方端部が上下方向の最も低い位置にあるとともに当該中央下方端部よりも上位の位置に前記左右両側下方端部があり、かつ、前記欠除部が前記左右両側下方端部よりも上位の位置まで欠除されていること、および、
袋の底部折り込み状態における前記左右両側下方端部と前記中央下方端部と前記欠除部との相対関係について、相対的に上位の前記左右両側下方端部と相対的に下位の前記中央下方端部とが段差を有し、かつ、前記欠除部が、この段差をともなった前記左右両側下方端部と前記中央下方端部とにわたるものであること、および、
前記底部内側に折り込まれた前記ガゼットを拡げるにしたがい、その底部にある前記左右両側下方端部と前記中央下方端部との段差が減少していくものであるとともに、前記ガゼットの拡がりが前記シール部により抑制されるまで前記底部が袋の厚み方向に膨らむものであること
を特徴とする自立安定性を高めた包装用袋。
【請求項３】
袋の上方にある開口部に、この開口部を再開閉するためのファスナーが設けられている請求項１〜２のいずれかに記載の自立安定性を高めた包装用袋。
【発明の詳細な説明】
【技術分野】
【０００１】
本発明は、底部の内側に折り込んだガゼットが内容物を包入することにより押し拡がって自立を可能にした包装用袋に関し、その底部の構造を改良して商品陳列の省スペース化を促進し自立安定性を高めた包装用袋に関するものである。
【背景技術】
【０００２】
従来、図５で示すように、袋２０の底部の内側に折り込まれたガゼット２１を船底形状シール２２した底部が押し拡がって自立を可能にした包装用袋として、例えば、特公昭４０−９７０４号公報（特許文献１）、特開２００１−７２０８０号公報（特許文献２）、特開２００１−７２０８１号公報（特許文献３）が提供されている。
【０００３】
これらは、袋の底部の内側に折り込まれたガゼットを有していない袋に比べれば、内容物を包入することにより袋２０の内側に折り込まれたガゼット２１が押し拡がって自立性を有しているが、内容物を包入することにより底部の中央下方端部２３ａが図５（Ｂ）で示すように、厚み方向に膨らむ。そして、袋が自立することによって内容物が下方に集中し、この膨らみ傾向は助長されることになる。一方、図５（Ａ）、（Ｂ）で示すように、この膨らみにより左右両側の下方端部２３ｂが内側に引き寄せられ左右両側の下方端部２３ｂより前記中央下方端部２３ａが浮き上がった形態となる。その結果袋２０の底部は下方端部２３ｂが接地点となり、これを支点にして袋２０は前記中央下方端部２３ａが浮き上がった隙間分で厚み方向に揺動してガタツキが生じ、店頭等での陳列の場合に不安定な自立状態で、この揺動により内容物が大きく移動して転倒したりする場合が出てくる。ししかも助長された膨らみはより広いスペースを必要とし、また、外観上も好ましくない問題があった。
【特許文献１】特公昭４０−９７０４号公報
【特許文献２】特開２００１−７２０８０号公報
【特許文献３】特開２００１−７２０８１号公報
【発明の開示】
【発明が解決しようとする課題】
【０００４】
本発明の目的は、底部の簡単な構造により従来の自立不安定な問題点を解消して自立安定性を高めた包装用袋を提供することである。
【課題を解決するための手段】
【０００５】
上記の課題を解決するための本発明の一つは、
底部の内側に折り込まれたガゼットを当該底部に有する袋であって、その折り込まれたガゼットが拡がることで自立可能となる包装用袋において、
前記底部の下方端部が接着されて剛性を付与されていること、および、
前記底部の接着された下方端部には、前記ガゼットの拡がりを抑制するための上向き凸型のシール部が袋の表裏中央部に一箇ずつ設けられていること、および、
前記底部の左右両側にある下方端部と前記底部の中央にある下方端部との間には、上向きに欠除されて設けられた欠除部が介在していること、および、
前記底部における前記左右両側下方端部と前記中央下方端部との相対関係において、前記中央下方端部の幅方向の寸法が前記左右両側下方端部の各幅方向の寸法よりも大きいものであること、および、
袋の底部折り込み状態における前記左右両側下方端部と前記中央下方端部と前記欠除部との相対関係について、前記中央下方端部が上下方向の最も低い位置にあるとともに当該中央下方端部よりも上位の位置に前記左右両側下方端部があり、かつ、前記欠除部が前記左右両側下方端部よりも上位の位置まで欠除されていること、および、
袋の底部折り込み状態における前記左右両側下方端部と前記中央下方端部と前記欠除部との相対関係について、相対的に上位の前記左右両側下方端部と相対的に下位の前記中央下方端部とが段差を有し、かつ、前記欠除部が、この段差をともなった前記左右両側下方端部と前記中央下方端部とにわたるものであること、および、
前記底部内側に折り込まれた前記ガゼットを拡げるにしたがい、その底部にある前記左右両側下方端部と前記中央下方端部との段差が減少していくものであるとともに、前記ガゼットの拡がりが前記シール部により抑制されるまで前記底部が袋の厚み方向に膨らむものであること
を特徴とする。
【０００６】
上記の課題を解決するための本発明の他の一つは、
底部の内側に折り込まれたガゼットを当該底部に有する袋であって、その折り込まれたガゼットが拡がることで自立可能となる包装用袋において、
前記底部の下方端部が接着されて剛性を付与されていること、および、
前記底部の接着された下方端部には、前記ガゼットの拡がりを抑制するための上向き凸型のシール部が袋の表裏中央部寄りに複数箇ずつ設けられていること、および、
前記底部の左右両側にある下方端部と前記底部の中央にある下方端部との間には、上向きに欠除されて設けられた欠除部が介在していること、および、
前記底部における前記左右両側下方端部と前記中央下方端部との相対関係において、前記中央下方端部の幅方向の寸法が前記左右両側下方端部の各幅方向の寸法よりも大きいものであること、および、
袋の底部折り込み状態における前記左右両側下方端部と前記中央下方端部と前記欠除部との相対関係について、前記中央下方端部が上下方向の最も低い位置にあるとともに当該中央下方端部よりも上位の位置に前記左右両側下方端部があり、かつ、前記欠除部が前記左右両側下方端部よりも上位の位置まで欠除されていること、および、
袋の底部折り込み状態における前記左右両側下方端部と前記中央下方端部と前記欠除部との相対関係について、相対的に上位の前記左右両側下方端部と相対的に下位の前記中央下方端部とが段差を有し、かつ、前記欠除部が、この段差をともなった前記左右両側下方端部と前記中央下方端部とにわたるものであること、および、
前記底部内側に折り込まれた前記ガゼットを拡げるにしたがい、その底部にある前記左右両側下方端部と前記中央下方端部との段差が減少していくものであるとともに、前記ガゼットの拡がりが前記シール部により抑制されるまで前記底部が袋の厚み方向に膨らむものであること
を特徴とする。
【０００７】
上記の課題を解決するための本発明の残る一つは、段落０００６および段落０００７に記載された自立安定性を高めた包装用袋において、
袋の上方にある開口部に、この開口部を再開閉するためのファスナーが設けられていること
を特徴とする。
【発明の効果】
【０００８】
本発明に係る自立安定性を高めた包装用袋は、袋内に包入された内容物で底部が厚み方向に膨らむから、それによって自立可能になるものである。この袋自立で内容物の下方集中が助長される。また、それにともなってガゼットも拡がる。このガゼット拡がりは、袋の表裏中央部に一箇所ずつ設けられた上向き凸型のシール部とか、表裏中央部寄りに複数箇所ずつ設けられた上向き凸型のシール部とかで抑制される。かかる抑制により内容物の移動範囲が小さくなったり商品陳列の省スペース化が促進されたりし、陳列時の外観も好ましいものになる。また、左右両側の下方端部とそれよりも長い中央の下方端部との段差や、中央の下方端部と左右両側の下方端部との間に介在する上向き欠除部など、これらによる底部の形態により、ガゼットが拡開した状態で中央の下方端部と左右両側の下方端部とが略均等な接地状態を確保するから、袋の自立安定性が高まる。
【発明を実施するための最良の形態】
【０００９】
以下、本発明を実施するための最良の形態を図面に基づいて説明する。図１において、１は合成樹脂複層素材乃至合成樹脂を含む各種複層素材よりなる包装用袋を示す。この包装用袋１の底部８は、包装用袋１の内側に折り込まれたガゼット２が船底形状シール３とサイドシール４とによって拡開可能に設けられる。従って、底部８の下方端部はその所要部が接着されたことにより剛性が付与されている。
【実施例１】
【００１０】
本発明の特徴の一つは、前記底部８の船底形状シール３に、包装用袋１内に包入した内容物が下方に集中して前記底部８が厚み方向に極度に膨らむことを阻止するため、前記ガゼット２の拡がりを抑制する凸型のシール部１１を設けたことである。
【００１１】
この凸型のシール部１１についてその位置及び箇数を含めて説明すると、それは図１で示すように、袋の表裏中央部に一箇ずつ設けたり、あるいは、図２で示すように、中央下方端部５ａ寄りに複数箇ずつ設けたりする。要するに、底部８の拡がりを抑制するためのポイントとなる箇所すなわち膨らみを抑える位置に凸型のシール部１１を設ける。
【００１２】
この凸型のシール部１１を前記の位置に設けることにより、前記の位置においてガゼット２の拡がりが抑制される。従って、前記ポイントとなる箇所の極度の膨らみが解消され、商品陳列の省スペース化が促進され、また、陳列時の外観が好ましいものとなる。前記凸型のシール部１１は図示のように弧状のものとすることが望ましい。こうすることにより特定箇所への荷重の集中が回避されて、底部８よりの剥離破袋の発生が可及的に防止される。尚、この凸型のシール部１１によって底部８の下方端部が強化され、剛性がより一層付与され、後述の自立安定性を高める上で貢献する。
【実施例２】
【００１３】
本発明は上記実施例１の構成に加えて、つぎのようにしている。すなわち前記底部８の場合、左右両側の下方端部５ｂに比して中央の下方端部５ａが長く、かつ、右両側の下方端部５ｂと中央の下方端部５ａとが段差６を形成している。この段差６は包装用袋１の大小、底部８の拡開サイズ、内容物の重量等を考慮して適正に設定されるが、Ａ５サイズ程度の大きさの袋の場合５ｍｍ前後の段差が適当である。
【００１４】
さらに前記底部８についていうと、これは前記中央の下方端部５ａと左右両側の下方端部５ｂとの間に渡り欠除部７が設けられた形態のものである。この欠除部７は左右両側の下方端部５ｂよりも上方に彎曲形状で欠除されたものである。尚、通常は袋を平面に陳列することから、中央の下方端部５ａは図１、図２に示すように、ガゼット２の折り込み線と平行に設定されることで、自立が安定する。
【００１５】
上記包装用袋１の開口部９は、顧客が手にする時点では多くの場合、開封を必要とする状態にあるから、ノッチ、薄肉線、ミシン目、傷痕群等により開封をし易くする配慮が為されることが望ましい。また、図１乃至図３で示すように、開口部９を再開閉するためのファスナー１０を設けた袋であってもよい。
【００１６】
この実施例２は上記実施例１の作用に加えて、包装用袋１内に内容物を包入することで底部８のガゼット２が押し拡がり中央の下方端部５ａが膨らみ厚みができて自立状態となる。この中央の下方端部５ａが膨らむことにより左右両側の下方端部５ｂを内側に引き寄せようとする力が生じる。この左右両側の下方端部５ｂを内側に引き寄せようとする力については、中央の下方端部５ａと左右両側の下方端部５ｂとの間に渡るものであって左右両側の下方端部５ｂよりも上方に彎曲形状で欠除された欠除部７で遮断し、これによって図３で示すように、左右両側の下方端部５ｂは内側に引き寄せられることなく、その独立性が確保されて自立を安定させる。
【００１７】
さらには、左右両側の下方端部５ｂに比し中央の下方端部５ａを長くして左右両側の下方端部５ｂと中央の下方端部５ａとに段差６を設けたことによって、中央の下方端部５ａの浮き上がりが防止される。すなわち、左右両側の下方端部５ｂの接地点を支点にして中央の下方端部５ａが浮き上がった隙間分で厚み方向に揺動するガタつきが押えられ、幅広で剛性を有する中央の下方端部５ａと、同じく剛性を有し前述のように独立性が確保された左右両側の下方端部５ｂとの荷重分散により、極めて安定性の高い自立機能を果たせしめるものである。
【００１８】
このように、段差６を適当ならしめることによって、幅広で剛性を有する中央の下方端部５ａと、同じく剛性を有し前述のように独立性が確保された左右両側の下方端部５ｂとの荷重分散を図ることができるようにすることが望ましいが、横幅のある袋や折り込みの深い袋にあっては、左右両側の下方端部５ｂが内側に引き寄せられないようにするだけで、必要十分な自立安定性が得られるような場合もあるから、左右両側の下方端部５ｂの接地は必須要件ではないものである。
【００１９】
中央の下方端部５ａと左右両側の下方端部５ｂとの間に渡る欠除部７、しかも、左右両側の下方端部５ｂよりも上方に欠除された欠除部７について、図１の場合は欠除を目立たなくしたなだらかな傾斜線のへの字形で説明し、かつ、図２の場合は彎曲形状で説明したが、図４で示すように多種の形状としても本発明の作用効果が得られる。
【００２０】
その変形例として、図４（Ａ）の円形の欠除部７、図４（Ｂ）の角形の欠除部７、図４（Ｃ）のヘの字形の欠除部７及び図４（Ｄ）の台形の欠除部７とすることもできる。この他、本発明の趣旨に則った見栄えをよくするデザインの採用、足場を固める設計変更がなされてよい。何れの形態にしても底部８に凸型のシール部１１を袋の表裏中央部に１箇所ずつ若しくは中央下方端部５ａ寄りに複数箇所ずつ設ける。
【００２１】
凸型のシール部１１を底部８の表裏中央の下方端部５ａ寄りに複数箇所設ずつ設ける場合は、欠除部７の位置をこの凸型のシール部１１の位置の持ってくるようにしても良い。こうすることにより欠除部７がシール範囲を超えて形成される弊害や、欠除部７と隣設するシール部の剥離破袋の問題を防止することができる。
【産業上の利用可能性】
【００２２】
本発明に係る包装用袋１は固体や液体等の各種の内容物を包入するが、開口部の開口状態で水や湯の注入を必要とするアルファ化穀類などの個食用包装袋に適用すれば、水や湯の注入の際に水や湯を溢流することなく自立安定した状態で注入することができ、安全性に配慮されたアルファ化穀類などの個食用包装を提供することができる。
【図面の簡単な説明】
【００２３】
【図１】本発明による包装用袋の正面図
【図２】本発明による包装用袋の正面図
【図３】本発明による包装用袋に内容物を包入した状態の斜視図
【図４】本発明の他の実施例を示す要部の正面図
【図５】従来一般の包装用袋の問題点を示す図
【符号の説明】
【００２４】
１    包装用袋
２    ガゼット
３    船底形状シール
４    サイドシール
５ａ  中央の下方端部
５ｂ  左右両側の下方端部
６    段差
７    欠除部 
８    底部
９    開口部
１０    ファスナー
１１    凸型のシール部
【図１】
0004615254.tif 000002
【図２】
0004615254.tif 000003
【図３】
0004615254.tif 000004
【図４】
0004615254.tif 000005
【図５】
0004615254.tif 000006